(57)【要約】      （修正有）【課題】同軸又は三軸ケーブルのような伝送ケーブルに使用するためのケーブルターミネーター組立体を提供する。【解決手段】伝送ケーブル２０は、内側導体２２と外側導体又はシールド２４を有し、本発明のケーブルターミネーター組立体１は、ケーブル２０の内側導体２２を受容するための通し孔を有する導電性の内側位置決め本体又はピン８を有する。通し孔は、電気接続と気密密封を設定するために内側導体２２にろう付けされる。ケーブルターミネーター組立体１の導電性外側本体２は、接地を設定し、かつ、気密密封を設定するために外側導体２４にろう付けすることができるように構成されている。内側位置決め本体８と外側本体２の間には、電気絶縁性材（例えば、セラミック）製の中間スペーサ本体４が介設されている。【選択図】図２
2012119321.tif 000002
【特許請求の範囲】
【請求項１】
第１導体と第２導体を有する電気ケーブルに使用するためのケーブルターミネーター組立体であって、
該ケーブルの前記第１導体を受容するための通し孔を有する導電性の内側位置決め本体と、
前記第２導体に固定されるように構成された導電性の第１外側本体と、
該内側位置決め本体と該第１外側本体の間に介設された電気絶縁性の第１中間スペーサ本体と
から成ることを特徴とするケーブルターミネーター組立体。
【請求項２】
前記中間スペーサ本体は、実質的に円筒形であり、前記内側位置決め本体に固定された内側表面と、前記第１外側本体に固定された外側表面を有する、請求項１に記載のケーブルターミネーター組立体。
【請求項３】
前記内側位置決め本体は、外部デバイスに設けられた凹部に受容されるように構成された端部分を有する、請求項１に記載のケーブルターミネーター組立体。
【請求項４】
前記ケーブルの第３導体に固定することができるようになされた導電性の第２外側本体と、該第２外側本体と前記第１外側本体との間に介設された電気絶縁性第２中間スペーサ本体を含む、請求項１に記載のケーブルターミネーター組立体。
【請求項５】
前記第２中間スペーサ本体は、実質的に円筒形であり、前記第１外側本体に固定された内側表面と、前記第２外側本体に固定された外側表面を有する、請求項４に記載のケーブルターミネーター組立体。
【請求項６】
内側導体と外側導体を有する同軸ケーブルと、ケーブルターミネーター組立体との組合せ体であって、
該ケーブルターミネーター組立体は、
前記ケーブルの前記第１（内側）導体を受容するための通し孔を有する導電性の内側位置決め本体と、
前記ケーブルの前記第２（外側）導体に固定されるように構成された導電性の外側本体と、
該内側位置決め本体と外側本体の間に介設された電気絶縁性の中間スペーサ本体とから成り、
前記ケーブルの前記内側導体は、該ケーブルターミネーター組立体の前記内側位置決め本体の前記通し孔内に受容されており、該ケーブルターミネーター組立体の前記外側本体は、該ケーブルの前記外側導体に固定されていることを特徴とする、組合せ体。
【請求項７】
前記外側本体は、気密密封を設定するために前記外側導体に固定されている、請求項６に記載の組合せ体。
【請求項８】
前記内側位置決め本体の少なくとも一端部分は、気密密封を設定するために前記内側導体に固定されている、請求項６に記載の組合せ体。
【請求項９】
前記ケーブルターミネーター組立体は、前記ケーブルの前記各導体に溶接又はろう付けによって固定されている、請求項６に記載の組合せ体。
【請求項１０】
内側導体と、外側導体と、中間導体を有する三軸ケーブルと、ケーブルターミネーター組立体との組合せ体であって、
該ケーブルターミネーター組立体は、
前記ケーブルの前記第１（内側）導体を受容するための通し孔を有する導電性の内側位置決め本体と、
前記ケーブルの前記第２（外側）導体に固定されるように構成された導電性の第１外側本体と、
該内側位置決め本体と第１外側本体の間に介設された電気絶縁性の第１中間スペーサ本体とから成り、
前記ケーブルの前記内側導体は、該ケーブルターミネーター組立体の前記内側位置決め本体の前記通し孔内に受容されており、該ケーブルターミネーター組立体の前記第１外側本体は、該ケーブルの前記外側導体に固定されていることを特徴とする、組合せ体。
【請求項１１】
前記第１外側本体は、気密密封を設定するために前記外側導体に固定されている、請求項１０に記載の組合せ体。
【請求項１２】
前記内側位置決め本体の少なくとも一端部分は、気密密封を設定するために前記内側導体に固定されている、請求項１０に記載の組合せ体。
【請求項１３】
前記ケーブルターミネーター組立体は、前記ケーブルの前記各導体に溶接又はろう付けによって固定されている、請求項１０に記載の組合せ体。
【請求項１４】
内側導体と、外側導体と、中間導体を有する三軸ケーブルと、ケーブルターミネーター組立体との組合せ体であって、
該ケーブルターミネーター組立体は、
前記ケーブルの前記第１（内側）導体を受容するための通し孔を有する導電性の内側位置決め本体と、
前記ケーブルの前記第２（外側）導体に固定されるように構成された導電性の第１外側本体と、
該内側位置決め本体と第１外側本体の間に介設された電気絶縁性の第１中間スペーサ本体と、
前記ケーブルの前記第３（中間）導体に固定されるように構成された導電性の第２外側本体と、
該第２外側本体と第１外側本体の間に介設された電気絶縁性の第２中間スペーサ本体とから成り、
前記ケーブルの前記内側導体は、該ケーブルターミネーター組立体の前記内側位置決め本体の前記通し孔内に受容されており、該ケーブルターミネーター組立体の前記第１外側本体は、該ケーブルの前記中間導体に固定されており、該ケーブルターミネーター組立体の前記第２外側本体は、該ケーブルの前記外側導体に固定されていることを特徴とする、組合せ体。
【請求項１５】
前記第２中間スペーサ本体は、実質的に円筒形であり、前記第１外側本体に固定された内側表面と、前記第２外側本体に固定された外側表面を有する、請求項１４に記載の組合せ体。
【請求項１６】
前記第１外側本体は、気密密封を設定するために前記中間導体に固定されている、請求項１４に記載の組合せ体。
【請求項１７】
前記第２外側本体は、気密密封を設定するために前記外側導体に固定されている、請求項１４に記載の組合せ体。
【請求項１８】
前記内側位置決め本体の少なくとも一端部分は、気密密封を設定するために前記内側導体に固定されている、請求項１４に記載の組合せ体。
【請求項１９】
前記ケーブルターミネーター組立体は、前記ケーブルの前記各導体に溶接又はろう付けによって固定されている、請求項１４に記載の組合せ体。
【発明の詳細な説明】
【技術分野】
【０００１】
本発明は、ケーブルターミネーター組立体に関し、特に、慣用の同軸又は三軸ケーブルのような電気ケーブルにソリッドな、信頼性の高い終端（ターミネーション（ｔｅｒｍｉｎａｔｉｏｎ））を付与するのに用いることができるケーブルターミネーター組立体に関する。１つの可能な実施形態では、本発明のケーブルターミネーター組立体は、特に、高温の動作環境での使用に適するように構成される。
【背景技術】
【０００２】
在来の同軸ケーブルは、内側導体又は中心コアと、それを囲繞する筒状シールドの形をした外側導体とから成る。内側導体と外側導体とは、絶縁層によって分離されている。在来の三軸ケーブルは、更に、内側導体及び外側導体から絶縁層によって分離された追加の筒状の中間導体を備えている。
【０００３】
同軸及び三軸ケーブルには、必要に応じて容易に外部デバイスに接続することを可能にする信頼性の高い終端（ターミネーション）手段を設けなければならない場合が多々ある。
【発明の概要】
【発明が解決しようとする課題】
【０００４】
本発明は、第１導体（例えば、同軸又は三軸ケーブルの内側導体又は中心コア）と第２導体（例えば、同軸又は三軸ケーブルの外側導体又は筒状シールド又は三軸ケーブルの中間導体）を有する電気ケーブルに使用するための改良されたケーブルターミネーター組立体であって、該ケーブルの前記第１導体を受容するための通し孔を有する導電性の内側位置決め本体と、前記第２導体に固定されるように構成された導電性の外側本体と、該内側位置決め本体と外側本体の間に介設された電気絶縁性の中間スペーサ本体（即ち、少なくとも部分的に誘電材料又は不導電性材料で形成されたもの）から成るケーブルターミネーター組立体を提供する。
【０００５】
以下に詳述するように、本発明のケーブルターミネーター組立体は、電気ケーブルの端部を気密密封するための手段を提供し、ケーブルの各導体を支持する。
【課題を解決するための手段】
【０００６】
本発明のケーブルターミネーター組立体の内側位置決め本体の一端部分は、外部デバイス又はコネクター、例えばセンサー組立体又は対応する嵌合形状部を有する別のケーブル組立体に設けられた凹部に受容される構成とすることが好ましい。換言すれば、上記端部分は、該ケーブルターミネーター組立体の、外部デバイス又はコネクターへの接続を容易にするような寸法及び形状とすることができる。これは、高温ケーブルを比較的低温の領域で動作する別のタイプのケーブルに接続することがある高温アプリケーションにおいて特に重要である。従って、本発明のケーブルターミネーター組立体は、いろいろな異なるタイプのケーブルを、性能を高め、コストを低減するような態様で合わせて接続することを可能にする。又、本発明のケーブルターミネーター組立体は、好ましくは信頼できる電気接続が得られるように、任意の適当な手段によって外部デバイス又はコネクターに解放自在に又は恒久的に固定することができる。例えば、内側位置決め本体の端部分を外部デバイス又はコネクターに溶接又はろう付けしてもよく、あるいは、ケーブルターミネーター組立体は、適当な嵌合形状部によって又は内側位置決め本体又は外側本体に形成された螺条と外部デバイス又はコネクターに形成された対応する螺条とによって接続することもできる。
【０００７】
センサー組立体の場合、センサー組立体に接続（インタフェース）するケーブルの端部は、通常、所定のサイズに切断され、露出したケーブル導体が、慣用の溶接又はろう付けによって適当なセンサーコネクターに接続される。従って、センサー組立体が非気密性であるとすると、そのセンサー組立体を通して湿気がケーブル内に侵入することがあり、その結果、センサー組立体の較正（キャリブレーション）にずれが生じ、それに対応して性能に毀損を生じるおそれがあることを意味する。従って、ケーブルターミネーター組立体は、気密密封を施すことにより、湿気の侵入に起因する較正ぶれを回避することによってセンサーの性能を最大限にする。大抵の無機絶縁ケーブルは、吸湿性であるから、センサー組立体に接続する前に所定の長さに切断されたケーブルは、適切な環境下に保管されない限り、直ぐに湿気を吸収してしまう。しかしながら、ケーブルが所定の長さに切断された後直ぐにそのケーブルをケーブルターミネーター組立体に接続するようにすれば、ケーブルは、それをセンサー組立体に接続する前に、通常の周囲環境下に保管しておくことができる。又、ケーブルターミネーター組立体の気密密封は、比較的低温下での酸化によって惹起されるケーブル導体間の隔離抵抗の破壊に起因する較正のずれを防止する。ケーブル導体のこのような酸化は、最終的には、電気ケーブルの電気的特性の完全な破壊を招く結果となることがある。
【０００８】
本発明のケーブルターミネーター組立体は、ケーブル導体を支持し、振動及び、又は熱膨張によって惹起される損傷や機能不全のおそれを最小限にする。
【０００９】
このケーブルターミネーター組立体の構造は、使用中にケーブル絶縁材が剥離することがあったとしても、そのような絶縁材はケーブル内又はケーブル組立体内に拘留されてセンサー組立体内に侵入するのを好ましくは確実に防止する構造である。
【００１０】
前記中間スペーサ本体は、実質的に円筒形とし、前記内側位置決め本体に固定された内側表面と、前記外側本体に固定された外側表面を有するものとすることができる。この中間スペーサ本体は、内側位置決め本体と外側本体との間に、前記ケーブル導体間に介設された絶縁層と実質的に同様の絶縁層を提供する。
【００１１】
本発明のケーブルターミネーター組立体は、同軸又は三軸ケーブルに用いることができる同軸構成とすることができる。同軸構成の場合、同軸ケーブルの内側導体又は中心コアは、ケーブルターミネーター組立体の内側位置決め本体の通し孔内に受容され、外側本体は、接地を設定するためにケーブルの外側導体又は筒状シールドに固定される。このケーブルターミネーター組立体を三軸ケーブルに接続した場合は、常態では三軸ケーブルの中間導体がケーブルターミネーター組立体の中間スペーサ本体に衝接し、ケーブルの中間導体とケーブルターミネーター組立体との間に電気的接続は存在しない。
【００１２】
上述した理由により、ケーブルターミネーター組立体の前記外側本体は、気密密封を設定するために例えば気密溶接又はろう付けによってケーブルの外側導体に固定することが好ましく、内側位置決め本体は、やはり気密密封を設定するために同様にしてケーブルの内側導体に固定することが好ましい。実用においては、内側位置決め本体は、その端部分において又は端部分の周りにスポット溶接又はろう付けすることによってケーブルの内側導体に固定することができる。
【００１３】
本発明のケーブルターミネーター組立体は、別の実施形態においては、三軸ケーブルに使用することができる三軸構成とすることができる。この三軸構成では、ケーブルターミネーター組立体は、更に、ケーブルの第３導体（ｔｈｉｒｄ  ｃｏｎｄｕｃｔｏｒ）（例えば、三軸ケーブルの外側導体又は筒状シールド）に固定することができるようになされた導電性の第２外側本体と、該第２外側本体と前記外側本体との間に介設された第２の電気絶縁性中間スペーサ本体を備えたものとする。この第２中間スペーサ本体は、実質的に円筒形とし、前記外側本体に固定された内側表面と、前記第２外側本体に固定された外側表面を有するものとすることができる。この第２中間スペーサ本体は、前記外側本体と第２外側本体との間に絶縁層を提供する。該外側本体は、構造をコンパクトにするために、前記中間スペーサ本体の半径方向外側に位置する第１部分と、前記第２中間スペーサ本体の半径方向内側に位置する第２部分を有するものとすることができる。
【００１４】
三軸構成の場合は、三軸ケーブルの内側導体又は中心コアは、ケーブルターミネーター組立体の内側位置決め本体の通し孔内に受容され、前記外側本体は、ケーブルの中間導体に固定され、前記第２外側本体は、ケーブルの外側導体又は筒状シールドに固定されて接地を設定する。
【００１５】
上述した理由により、前記第２外側本体は、気密密封を設定するために例えば気密溶接又はろう付けによってケーブルの外側導体に固定することが好ましく、前記外側本体は、やはり気密密封を設定するためにケーブルの中間導体に同様にして固定することが好ましく、前記内側位置決め本体は、やはり気密密封を設定するために同様にしてケーブルの内側導体に固定することが好ましい。実用においては、内側位置決め本体は、その端部分において又は端部分の周りにスポット溶接又はろう付けすることによってケーブルの内側導体に固定することができる。
【００１６】
本発明のケーブルターミネーター組立体は、接続すべきケーブルのタイプと、企図される動作条件に応じて任意の適当な素材で形成することができる。例えば、ケーブルターミネーター組立体の導電性の構成部品は、金属又は合金（例えば、アルミナセラミックに匹敵する、そして、約５００°Ｃ未満の企図される動作温度又はそれより高い動作温度に適する膨張特性を有する、カーペンター・テクノロジ・コーポレーシヨン製のKovar（登録商標）、ニッケル／コバルト合金鉄、適当な耐酸化性超合金）又は導電性のセラミック材で形成することができる。電気的に絶縁する構成部品は、酸化アルミニウム又は窒化珪素のようなセラミック材又はプラスチック材で形成することができる。慣用のろう付け法によって結合された金属部品とセラミック部品を用いた構造は、最高８００°Ｃまでの温度で動作することができることが期待されるが、別の構造では更に高い温度での動作を達成することができる。
【００１７】
構成部品を互いに固定又は結合するための方法は、使用される素材のタイプに応じて決められる。例えば、金属又は合金とセラミック製の構成部品は、ろう付け又は溶接によって結合することができるが、低温動作に対応するものであれば、慣用の接着剤又は導電性接着剤を用いることができる。構成部品を結合するための方法としては、任意の適当な方法又はプロセスを用いることができることは、当業者には明らかであろう。同様に、ケーブルターミネーター組立体をケーブル導体に固定する方法としても、任意の適当な方法又はプロセスを用いることができる。
【００１８】
このケーブルターミネーター組立体は、典型的な例では、慣用構造の同軸又は三軸ケーブルに使用することができるが、任意の適合形態を有する他のタイプのケーブルにも使用することができることは、当業者には明らかであろう。このケーブルターミネーター組立体は、ケーブルの一端又は両端を気密密封するために用いることができる。このケーブルターミネーター組立体を１つだけ用いた場合は、ケーブルの他端は、異なるタイプのコネクターに必要ならば気密状態に密封結合することができる。
【図面の簡単な説明】
【００１９】
【図１】本発明による同軸ケーブルターミネーター組立体の断面図である。
【図２】図１の同軸ケーブルターミネーター組立体が同軸ケーブルに接続される態様を示す断面図である。
【図３】図１の同軸ケーブルターミネーター組立体が三軸ケーブルに接続される態様を示す断面図である。
【図４】本発明による三軸ケーブルターミネーター組立体の断面図である。
【図５】図４の三軸ケーブルターミネーター組立体が三軸ケーブルに接続される態様を示す断面図である。
【発明を実施するための形態】
【００２０】
以下に、添付図を参照して例示のみを目的として本発明の実施形態を説明する。
【００２１】
図１を参照して説明すると、同軸構造を有するケーブルターミネーター組立体１は、実質的に円筒形の金属製外側本体２を含む。外側本体２の内側表面の前方部分に円筒形のセラミック製スペーサ又はブッシュ４がろう付けされている。外側本体２の後方部分は、後述する同軸又は三軸ケーブルを受容するための開放凹部６を画定する。セラミック製スペーサ又はブッシュ４の内側に位置決め本体又はピン８がろう付けされている。位置決め本体又はピン８は、セラミック製スペーサ４の環状端面に衝接する半径方向突出フランジ１０を有する。フランジ１０は、スペーサ４へのろう付けの際、位置決め本体８を自己位置決め案内手段として機能させ、又、センサー又はケーブル組立体に対し溶接のためのインタフェース手段ともなる。位置決め本体８の前方部分１２は、センサー組立体（図示せず）に設けられた凹部（図示せず）に受容されるように構成されている。そのようなセンサーは、例えば、静止物体又は通過物体までの距離を測定するために（典型的な例ではガスタービンエンジン翼の先端とそれを囲繞するケーシングとのクリアランス（間隙）を測定するために）高い動作温度下で用いることができるセンサーである。本発明のケーブルターミネーター組立体１をセンサー組立体（図示せず）に接続すると、ケーブルの内側導体とセンサー組立体との間に直接又は導電性の位置決め本体８を介して電気接続が設定される。
【００２２】
同軸ケーブルターミネーター組立体１は、図２に示されるように同軸ケーブル２０を終端（ターミネート（ｔｅｒｍｉｎａｔｅ））するのに用いることができる。同軸ケーブル２０は、内側導体又は中心コア２２と、筒状シールドの形の外側導体２４を有する。内側導体と外側導体とは、第１絶縁層２６によって分離されている。ケーブルターミネーター組立体の外側本体２は、接地を設定し、かつ、凹部６への湿気の侵入を防止する気密密封を設定するためにケーブルの外側導体２４にろう付けされる。内側導体２２は、位置決め本体８の通し孔１４に挿通される。位置決め本体８の前方部分１２は、電気接続を設定し、かつ、通し孔１４への湿気の侵入を防止する気密密封を設定するために内側導体２２に溶接又はろう付けされる。センサー組立体（図示せず）によって供給される電気信号は、内側導体２２を通して送られる。
【００２３】
同軸ケーブルターミネーター組立体１は、図３に示されるように三軸ケーブル３０を終端（ターミネート）するのにも用いることができる。三軸ケーブル３０は、内側導体又は中心コア３２と、筒状シールドの形の外側導体３４と、中間導体３６を有する。内側導体と中間導体とは、第１絶縁層３８によって分離され、中間導体と外側導体とは、第２絶縁層４０によって分離されている。ケーブルターミネーター組立体の外側本体２は、接地を設定し、かつ、凹部６への湿気の侵入を防止する気密密封を設定するためにケーブルの外側導体３４にろう付けされる。内側導体３２は、位置決め本体８の通し孔１４に挿通される。位置決め本体８の前方部分１２は、電気接続を設定し、かつ、通し孔１４への湿気の侵入を防止する気密密封を設定するために内側導体３２に溶接又はろう付けされる。中間導体３６との電気接続は存在しない。この溶接又はろう付け工程を助成するために、かつ、中間導体３６が位置決め本体８の後端面に接触するのを防止するために、位置決め本体８の後端には凹部１６が設けられている。
【００２４】
図４を参照して説明すると、三軸構造を有する別の実施形態のケーブルターミネーター組立体１００は、実質的に円筒形の金属製後方外側本体１０２を含む。後方外側本体１０２の内側表面の前方部分に円筒形のセラミック製後方スペーサ又はブッシュ１０４がろう付けされている。後方外側本体１０２の後方部分は、後述するように三軸ケーブル３０を受容するための開放凹部１０６を画定する。前方外側本体１０８は、前方部分１０８ａと後方部分１０８ｂを有する段付き断面形状を有し、それによって、三軸ケーブル３０の中間導体３６を受容するためのより細い凹部を画定する。前方外側本体１０８の後方部分１０８ｂは、セラミック製後方スペーサ１０４の内側にろう付けされている。前方外側本体１０８の前方部分１０８ａの内側には円筒形のセラミック製前方スペーサ又はブッシュ１１０がろう付けされている。セラミック製前方スペーサ又はブッシュ１１０の内側には、位置決め本体又はピン１１２がろう付けされている。位置決め本体又はピン１１２は、セラミック製の前方スペーサ１１０の環状端面に衝接する半径方向突出フランジ１１４を有する。フランジ１１４は、スペーサへのろう付けの際、位置決め本体１１２を自己位置決め案内手段として機能させ、又、センサー又はケーブル組立体に対し溶接のためのインタフェース手段ともなる。位置決め本体１１２の前方部分１１６は、センサー組立体（図示せず）に設けられた凹部（図示せず）に受容されるように構成されている。
【００２５】
三軸ケーブルターミネーター組立体１００は、図５に示されるように三軸ケーブル３０を終端（ターミネート）するのに用いることができる。ケーブルターミネーター組立体の後方外側本体１０２は、接地を設定し、かつ、凹部１０６への湿気の侵入を防止する気密密封を設定するためにケーブルの外側導体３４にろう付けされる。内側導体３２は、位置決め本体１１２の通し孔１１８に挿通される。位置決め本体１１２の前方部分１１６は、電気接続を設定し、かつ、通し孔１１８への湿気の侵入を防止する気密密封を設定するために内側導体３２ににろう付けされる。前方外側本体１０８の後方部分１０８ｂは、中間導体３６に溶接又はろう付けされる。この溶接又はろう付け工程を助成するために、かつ、中間導体３６が位置決め本体１１２の後端面に接触するのを防止するために、位置決め本体１１２の後端には凹部１２０が設けられている。
【符号の説明】
【００２６】
１  同軸ケーブルターミネーター組立体
２  金属製外側本体
４  セラミック製スペーサ又はブッシュ
６  開放凹部
８  位置決め本体又はピン
１０  半径方向突出フランジ
１２  前方部分
１４  通し孔
１６  凹部
２０  同軸ケーブル
２２  内側導体又は中心コア
２４  外側導体
２６  絶縁層
３０  三軸ケーブル
３２  内側導体又は中心コア
３４  外側導体又は筒状シールド
３６  中間導体
３８  第１絶縁層
４０  第２絶縁層
１００  三軸ケーブルターミネーター組立体
１０２  金属製後方外側本体
１０４  セラミック製後方スペーサ又はブッシュ
１０６  開放凹部
１０８  前方外側本体
１０８ａ  前方部分
１０８ｂ  後方部分
１１０  セラミック製前方スペーサ又はブッシュ
１１２  位置決め本体又はピン
１１４  半径方向突出フランジ
１１６  前方部分
１１８  通し孔
１２０  凹部
【図１】
2012119321.tif 000003
【図２】
2012119321.tif 000004
【図３】
2012119321.tif 000005
【図４】
2012119321.tif 000006
【図５】
2012119321.tif 000007
【外国語明細書】
2012119321.tif 000008
2012119321.tif 000009
2012119321.tif 000010
2012119321.tif 000011
2012119321.tif 000012
2012119321.tif 000013
2012119321.tif 000014
2012119321.tif 000015
2012119321.tif 000016
2012119321.tif 000017
2012119321.tif 000018
2012119321.tif 000019
2012119321.tif 000020
【図１】
2012119321.tif 000021
【図２】
2012119321.tif 000022
【図３】
2012119321.tif 000023
【図４】
2012119321.tif 000024
【図５】
2012119321.tif 000025